(57)【要約】【課題】インフラの設置コストや運用コストを低下させつつ、路側器に配信情報を適切に配信することができる車載器、路側器、及び情報配信システムを提供する。【解決手段】車載器１２が、路側器１４に対して配信する配信情報を取得し、自車両を基準とした所定範囲内の領域に存在する路側器１４に対して、取得した配信情報を無線通信によって配信するように制御する。【選択図】図１
2010087843.tif 000002
【特許請求の範囲】
【請求項１】
各々車両側と無線通信が可能な複数の路側器と無線通信を行なう通信手段と、
前記路側器に対して配信する配信情報を取得する取得手段と、
自車両を基準とした所定範囲内の領域に存在する路側器に対して、前記取得手段により取得した配信情報を前記通信手段による無線通信によって配信するように制御する制御手段と、
を備えた車載器。
【請求項２】
前記取得手段は、自車両の走行予定ルートに沿って設けられ路側器に対して配信する配信情報を取得し、
前記取得手段により取得した配信情報を配信対象の路側器に対応させて記憶する車載記憶手段をさらに備え、
前記制御手段は、前記通信手段により路側器と無線通信が可能であり且つ当該路側器が配信対象の路側器である場合に前記車載記憶手段に記憶された当該路側器に対応する配信情報を配信するように制御する
請求項１記載の車載器。
【請求項３】
前記取得手段は、配信情報を記憶したサーバコンピュータ又は配信情報を記憶した路側器から前記配信情報を取得する
請求項１又は請求項２記載の車載器。
【請求項４】
前記配信情報は、更新されたバージョンを示すバージョン情報を含み、
前記制御手段は、前記バージョン情報により示されるバージョンよりも前に更新された配信情報を有する路側器に対して配信情報を配信するように制御する
請求項１〜請求項３の何れか１項記載の車載器。
【請求項５】
前記制御手段は、前記取得手段により取得した配信情報よりも後に更新された配信情報が記憶されている場合に当該後に更新された配信情報を前記通信手段による無線通信によって受信するように制御する
請求項４記載の車載器。
【請求項６】
前記通信手段は、路側器に配信した配信情報の価値に応じて付与された報奨情報を受信する、
請求項１〜請求項５の何れか１項記載の車載器。
【請求項７】
車載器と無線通信が可能とされ、更新されたバージョンを示すバージョン情報を含んだ配信情報を前記車載器から受信する受信手段と、
前記受信手段により受信された配信情報を記憶する路側記憶手段と、
前記バージョン情報に基づき、前記受信手段により受信された配信情報よりも後に更新された配信情報が前記路側記憶手段に記憶されている場合に当該後に更新された配信情報を前記車載器へ無線通信で送信する送信手段と、
を備えた路側器。
【請求項８】
前記受信手段により受信された配信情報の価値に基づいて付与する報奨を決定する決定手段をさらに備え、
前記送信手段は、前記決定手段により決定された報奨を示す報奨情報を当該報奨が付与された配信情報の送信元の車載器へ無線通信で送信する
前記請求項７記載の路側器。
【請求項９】
請求項１〜請求項６記載の何れか１項記載の車載器と、
請求項７又は請求項８記載の路側器と、
を有する情報配信システム。
【請求項１０】
配信情報の配信対象とする路側器及び路側器への配信情報の配信に対して付与する報奨を登録する登録手段と、
前記登録手段により登録された路側器を通過するドライブルートを生成する生成手段と、をさらに備えた
請求項９記載の情報配信システム。
【発明の詳細な説明】
【技術分野】
【０００１】
この発明は、車載器、路側器、及び情報配信システムに関する。
【背景技術】
【０００２】
従来、路側器と車両に搭載された車載器との間でマイクロ波帯の電波を使用した無線通信を行なう路車間通信システムとして、自動料金収受システム（ＥＴＣ：Electronic Toll Collection）が知られている。
【０００３】
また、車両の利用者に情報を提供する手段として、広域の情報提供手段である放送や、有料の広域情報伝達手段である携帯電話の他に、無料で利用でき、比較的狭域で個別の情報提供が可能な路車間通信システムや車々間通信システムを利用することが検討されている。
【０００４】
例えば、特許文献１には、路側器に行楽情報を記憶したデータベースを設け、ＥＴＣ機能を持つ車載器が路側器に対して現在地や目的地に関わる行楽情報を要求し、路側器から情報配信を受けるシステムが記載されている。
【０００５】
また、特許文献２には、車載器同士の車々間通信で情報を提供する場合に、受信側が送信側にポイントを与えたり、情報が施設の宣伝情報の場合、送信側が施設からポイントを受けたりするシステムが記載されている。
【特許文献１】特開２００４−２４６６８６号公報
【特許文献２】特開２００８−２１０３７号公報
【発明の開示】
【発明が解決しようとする課題】
【０００６】
しかしながら、特許文献１に記載のシステムでは、予め路側器側のデータベースに最新で適切な情報を常に蓄積しておく必要があり、このためには路側器をネットワークに接続させて適切な情報を配信する必要があるため、インフラの設置コストや運用コストがかかる、という問題点があった。また、特許文献２に記載のシステムでは、情報提供側の車両に適切な情報を持たせる手段が必要な他、その情報を必要としている車両の近辺に居なければ情報を提供できない、という問題点があった。
【０００７】
本発明は上記事実を鑑みてなされたものであり、インフラの設置コストや運用コストを低下させつつ、路側器に配信情報を適切に配信することができる車載器、路側器、及び情報配信システムを提供することを目的とする。
【課題を解決するための手段】
【０００８】
上記目的を達成するため、請求項１記載の発明の車載器は、各々車両側と無線通信が可能な複数の路側器と無線通信を行なう通信手段と、前記路側器に対して配信する配信情報を取得する取得手段と、自車両を基準とした所定範囲内の領域に存在する路側器に対して、前記取得手段により取得した配信情報を前記通信手段による無線通信によって配信するように制御する制御手段と、を備えている。
【０００９】
請求項１記載の発明は、各々車両側と無線通信が可能な複数の路側器と、通信手段により、無線通信が可能とされており、取得手段により、路側器に対して配信する配信情報が取得される。
【００１０】
そして、本発明では、制御手段により、自車両を基準とした所定範囲内の領域に存在する路側器に対して、取得手段により取得した配信情報を通信手段による無線通信によって配信するように制御される。
【００１１】
このように請求項１記載の発明よれば、路側器に対して配信する配信情報を取得し、自車両を基準とした所定範囲内の領域に存在する路側器に対して、取得した配信情報を無線通信によって配信するように制御するので、インフラの設置コストや運用コストを低下させつつ、路側器に配信情報を適切に配信することができる。
【００１２】
なお、本発明は、請求項２記載の発明のように、前記取得手段が、自車両の走行予定ルートに沿って設けられ路側器に対して配信する配信情報を取得し、前記取得手段により取得した配信情報を配信対象の路側器に対応させて記憶する車載記憶手段をさらに備え、前記制御手段が、前記通信手段により路側器と無線通信が可能であり且つ当該路側器が配信対象の路側器である場合に前記車載記憶手段に記憶された当該路側器に対応する配信情報を配信するように制御することが好ましい。
【００１３】
また、本発明は、請求項３記載の発明のように、前記取得手段が、配信情報を記憶したサーバコンピュータ又は配信情報を記憶した路側器から前記配信情報を取得してもよい。
【００１４】
また、本発明は、請求項４記載の発明のように、前記配信情報が、更新されたバージョンを示すバージョン情報を含み、前記制御手段が、前記バージョン情報により示されるバージョンよりも前に更新された配信情報を有する路側器に対して配信情報を配信するように制御してもよい。
【００１５】
また、請求項４記載の発明は、請求項５記載の発明のように、前記制御手段が、前記取得手段により取得した配信情報よりも後に更新された配信情報が記憶されている場合に当該後に更新された配信情報を前記通信手段による無線通信によって受信してもよい。
【００１６】
また、本発明は、請求項６記載の発明のように、前記通信手段が、路側器に配信した配信情報の価値に応じて付与された報奨情報を受信してもよい。
【００１７】
一方、請求項７記載の発明の路側器は、車載器と無線通信が可能とされ、更新されたバージョンを示すバージョン情報を含んだ配信情報を前記車載器から受信する受信手段と、前記受信手段により受信された配信情報を記憶する路側記憶手段と、前記バージョン情報に基づき、前記受信手段により受信された配信情報よりも後に更新された配信情報が前記路側記憶手段に記憶されている場合に当該後に更新された配信情報を前記車載器へ無線通信で送信する送信手段と、を備えている。
【００１８】
このように請求項７記載の発明よれば、更新されたバージョンを示すバージョン情報を含んだ配信情報を車載器から受信し、受信された配信情報を路側記憶手段に記憶し、バージョン情報に基づき、受信された配信情報よりも後に更新された配信情報が路側記憶手段に記憶されている場合に当該後に更新された配信情報を車載器へ無線通信で送信するので、インフラの設置コストや運用コストを低下させつつ、路側器に配信情報を適切に配信することができる。
【００１９】
なお、本請求項７記載の発明は、請求項８記載の発明のように、前記受信手段により受信された配信情報の価値に基づいて付与する報奨を決定する決定手段をさらに備え、前記送信手段が、前記決定手段により決定された報奨を示す報奨情報を当該報奨が付与された配信情報の送信元の車載器へ無線通信で送信してもよい。
【００２０】
一方、請求項９記載の発明の情報配信システムは、請求項１〜請求項６記載の何れか１項記載の車載器と、請求項７又は請求項８記載の路側器と、を有している。
【００２１】
このように請求項９記載の発明よれば、請求項１〜８の作用を有するため、インフラの設置コストや運用コストを低下させつつ、路側器に配信情報を適切に配信することができる。
【００２２】
なお、本請求項９記載の発明は、請求項１０記載の発明のように、配信情報の配信対象とする路側器及び路側器への配信情報の配信に対して付与する報奨を登録する登録手段と、前記登録手段により登録された路側器を通過するドライブルートを生成する生成手段と、をさらに備えてもよい。
【発明の効果】
【００２３】
以上説明したように、本発明によれば、インフラの設置コストや運用コストを低下させつつ、路側器に配信情報を適切に配信することができる、という優れた効果を有する。
【発明を実施するための最良の形態】
【００２４】
以下、図面を参照して、本発明の実施の形態について詳細に説明する。
【００２５】
［第１の実施の形態］
先ず、実施の形態に係る情報配信システム１０の構成について説明する。
【００２６】
図１には、本実施の形態に係る情報配信システム１０の各構成要素を示すブロック図が示されている。
【００２７】
情報配信システム１０は、路車間通信などの移動体通信を利用して、車両に搭載された車載器１２と道路に設けられた路側器１４との間で無線通信を行なって車両の利用者に対し、旅行情報などの情報提供を行うシステムである。路側器１４は、道路に適宜設けられており、車両側と無線通信が可能でかつ相互に通信が不可能とされている。
【００２８】
情報配信システム１０には、配信する情報を管理するセンタ１６が設けられている。センタ１６にはコンテンツ募集サーバ１８及びドライブコース管理サーバ２０が備えられている。
【００２９】
コンテンツ募集サーバ１８及びドライブコース管理サーバ２０は、サーバコンピュータとして構成されており、広告代理業者、旅行業者等が運用している。コンテンツ募集サーバ１８は、各路側器１４を識別する路側器ＩＤや配置された位置を示す路側器情報と、各路側器１４に配信するものとして結び付けた（広告）コンテンツを示すコンテンツ情報と、各コンテンツ情報に関する付加情報と、を記憶したデータベース１８Ａを備えている。
【００３０】
ドライブコース管理サーバ２０は、ドライブコースがモデルコース情報や、ドライブコースに沿って設けられ路側器に関する路側器情報、ドライブコースに沿って設けられ路側器に配信するコンテンツ情報及び付加情報を関連付けたドライブルート情報を記憶したデータベース２０Ａを備えている。コンテンツ募集サーバ１８及びドライブコース管理サーバ２０はＬＡＮ（Local Area Network）などの通信回線２２に接続されている。
【００３１】
通信回線２２は、ルータやファイアウォールなどのネットワーク機器２４を介して外部のネットワーク２６と接続されている。コンテンツ募集サーバ１８及びドライブコース管理サーバ２０は、ネットワーク２６からアクセスが可能とされている。
【００３２】
ネットワーク２６には、複数の端末装置２８が接続されている。各端末装置２８は、表示装置付きのパーソナルコンピュータによって構成され、コンテンツ募集サーバ１８、ドライブコース管理サーバ２０と通信が可能とされている。
【００３３】
本システムによって広告を行なう広告主は、端末装置２８を通じてコンテンツ募集サーバ１８にアクセスし、本システムによってドライブコースの選定を行なうクライアントは、端末装置２８を通じてドライブコース管理サーバ２０にアクセスする。なお、コンテンツ募集サーバ１８及びドライブコース管理サーバ２０へのアクセスには、例えばユーザＩＤやパスワードを設けてアクセス管理を行なうことが好ましい。
【００３４】
コンテンツ募集サーバ１８にアクセスすると、端末装置２８には、サーバ上の情報を元に、例えば、地図上等に路側器１４の位置と広告料が示される。広告主は、広告の配信を希望する路側器１４（群）を選択し、その路側器１４から配信したいコンテンツ（広告・特典内容）と付加情報（インセンティブ、有効期限等）をサーバにアップロードし登録する。
【００３５】
コンテンツ募集サーバ１８にコンテンツと付加情報が登録されると、ドライブコース管理サーバ２０上に広告が付いた路側器１４を含むドライブコースがモデルコース情報が生成されデータベース２０Ａに保管される。
【００３６】
ドライブコース管理サーバ２０にアクセスすると、端末装置２８には、サーバ上の情報を元に、例えば、地図上に広告の付いた路側器１４の位置・広告（特典内容等）とモデルコースが示される。クライアントは、路側器１４を含むドライブコースを作成するか、モデルコースを選択して、ドライブコース（自車両の走行予定ルート）をサーバに登録する。ドライブコース管理サーバ２０は、登録されたドライブコースを示すコースＩＤを端末装置２８へ送信すると共に、登録されたドライブコースに沿って設けられ路側器に関する路側器情報、ドライブコースに沿って設けられ路側器に配信するコンテンツ情報及び付加情報を関連付けたドライブルート情報を生成する。
【００３７】
端末装置２８には、ドライブコース管理サーバ２０から送信されたドライブコースを示すコースＩＤが表示される。
【００３８】
ドライブルート情報により関連付けられた各情報は、車載器１２が携帯電話等を利用してドライブコース管理サーバ２０にアクセス可能な場合、携帯電話等を利用してダウンロードされ、あるいは、端末装置２８に一旦ダウンロードされ、ＵＳＢメモリやＳＤカード等のフラッシュメモリ等を用いた可搬型記憶メディアを介して車載器１２にセットされる。なお、図１のネットワーク２６と車載器１２を結ぶ一点鎖線の接続線は、携帯電話等を利用してネットワーク２６を介してドライブコース管理サーバ２０からルート情報を直接ダウンロードする場合を示すものであり、端末装置２８と車載器１２を結ぶ一点鎖線の接続線は、端末装置２８にダウンロードしたルート情報を可搬型記憶メディアを介して車載器１２へセットする場合を示している。
【００３９】
図２には、本実施の形態に係る車載器１２及び路側器１４の電気的な要部構成を示すブロック図が示されている。
【００４０】
車載器１２には、車載器全体の動作を制御する制御部３０が設けられている。制御部３０は、マイクロコンピュータによって実現されており、ＣＰＵ３０Ａ、ＲＯＭ及びＲＡＭを含むメモリ３０Ｂ、ＨＤＤやフラッシュメモリ等から成る不揮発性の記憶部３０Ｃを備えている。
【００４１】
この制御部３０には、携帯電話や可搬型記憶メディアの接続が可能な外部インタフェース（外部Ｉ／Ｆ）３２と、各種の情報や操作指示が入力される操作パネル３４と、各種の情報が表示される表示パネル３６と、路側器１４と無線通信を行なうための無線通信部３８が接続されている。
【００４２】
無線通信部３８には無線アンテナ３８Ａが接続されている。無線通信部３８は、無線アンテナ３８Ａを介して、例えば、５．８ＧＨｚ帯などの所定の周波数帯域を用いて、所定範囲内の領域に存在する路側器１４との間で無線通信を行なう。
【００４３】
また、制御部３０は、車両に搭載されたカーナビゲーションシステムと接続されており、カーナビシステムから自車両の位置情報が順次入力される。
【００４４】
上述した制御部３０や操作パネル３４、表示パネル３６、無線通信部３８は、車両に搭載されたバッテリから供給された電力によって作動する。
【００４５】
一方、路側器１４は、装置全体の動作を司るＣＰＵ４０と、制御プログラムを含む各種プログラム等が予め記憶されたＲＯＭ４２と、各種データを一時的に記憶するＲＡＭ４４と、各種データを記憶して保持するＨＤＤ４６と、車載器１２との間で無線通信により各種情報の送受信を行う無線通信部４８と、を備えている。
【００４６】
無線通信部４８には無線アンテナ４８Ａが接続されている。無線通信部４８は、無線アンテナ４８Ａを介して、上記所定の周波数帯域を用いて、車載器１２の無線通信部３８との間で無線通信を行なう。
【００４７】
ＣＰＵ４０、ＲＯＭ４２、ＲＡＭ４４、ＨＤＤ４６、及び無線通信部４８は、システムバスＢＵＳを介して相互に接続されている。従って、ＣＰＵ４０は、ＲＯＭ４２、ＲＡＭ４４、ＨＤＤ４６へのアクセスを行うことができると共に、無線通信部４８を介した車載器１２との各種情報の送受信の制御、を行うことができる。
【００４８】
図３には、本実施の形態に係る車載器１２及び路側器１４の機能的な構成を示す機能ブロック図が示されている。なお、図３は、外部インタフェース３２に携帯電話等を接続してネットワーク２６を介してドライブルート情報により関連付けられた各情報を直接ダウンロードする場合を示している。
【００４９】
車載器１２は、配信情報取得部５０と、配信制御部５２とを備えている。
【００５０】
一方、路側器１４は、コンテンツ更新制御部６０と、コンテンツ配信制御部６２とを備えている。
【００５１】
車載器１２の操作パネル３４には、ドライバによってドライブコースに応じたコースＩＤが入力される。
【００５２】
配信情報取得部５０は、ネットワーク２６を介してドライブコース管理サーバ２０にアクセスし、操作パネル３４に入力されたコースＩＤに基づいてドライブコース管理サーバ２０から当該コースＩＤにより示されるドライブルート情報により関連付けられた路側器情報、コンテンツ情報及び付加情報を取得する。
【００５３】
記憶部３０Ｃには、立寄り先リストとして、ドライブコースに設けられ路側器１４の路側器情報が記憶される。また、記憶部３０Ｃには、立寄り先リストに挙げられた路側器１４に対して配信するコンテンツが配信対象の路側器１４に対応させて記憶される。
【００５４】
このコンテンツには更新されたバージョンを示すバージョン情報を含んでいる。
【００５５】
配信制御部５２は、車両が路側器１４のサービス域内となり無線通信部３８で無線通信が可能となると、当該路側器１４から路側器ＩＤと必要に応じて送信条件を受信し、当該路側器１４が配信対象の路側器１４である場合に記憶部３０Ｃに記憶された、送信条件に合致するコンテンツを配信するように制御する。
【００５６】
コンテンツ更新制御部６０は、車載器１２から送信されコンテンツがＨＤＤ４６に記憶させる。また、コンテンツ更新制御部６０は、コンテンツを受信したときに、そのコンテンツの価値を評価する。例えば、コンテンツの生成から路側器１４にアップロードされるまでに要した時間（情報鮮度）や、同一のコンテンツをアップロードした車両での順位（そのコンテンツを最初にアップロードした車両か否か等）などで、価値を評価する。コンテンツ更新制御部６０は、評価値に見合ったインセンティブ（報奨）を無線通信部４８を介して車載器１２へ送信する。このインセンティブは金銭的価値を持つポイントや電子クーポン券であっても良い。その金銭的価値は評価値により決めてよい。
【００５７】
また、配信制御部５２は、路側器１４に対して新規コンテンツの送信を依頼する。
【００５８】
コンテンツ配信制御部６２は、無線通信部４８で受信されたコンテンツと異なるコンテンツ及び受信されたコンテンツよりもバージョンが新しいコンテンツがＨＤＤ４６に記憶されている場合、当該異なるコンテンツ及び新しいコンテンツを無線通信部４８を介して車載器１２へ送信するように制御する。
【００５９】
図４〜図７には、記憶部３０Ｃに記憶された情報の記憶形態の例が示されている。
【００６０】
図４は、コンテンツの記憶形態の一例である。それぞれのコンテンツは、コンテンツ本体の他に、有効度と(複数の)路側器情報をもつ。
【００６１】
図５に有効度として用いることができる情報の一例を示す。
【００６２】
有効度は、路側器１４から送信条件を示された場合の送信判断や、不要になったコンテンツを破棄する判断などに用いることができる。例えば、バージョン番号を用いる場合に、路側器１４から３版以上要求された場合、保持しているコンテンツが１又は２版の場合には送信しないという判断ができる。
【００６３】
図４に示すように、コンテンツは同一のコンテンツを複数の路側器１４にアップロードすることがありえるので、複数の路側器情報を持てるようにされている。路側器情報には路側器１４を特定する路側器ＩＤが含まれ、アップロードするコンテンツの抽出に用いられる。また、路側器１４の位置情報を持っても良い。
【００６４】
図６（Ａ）（Ｂ）は、コンテンツの記憶形態の他の例である。この例では、コンテンツと共に記録される路側器１４の情報は、路側器ＩＤのみであり、その他の路側器情報は別のテーブルに格納され、その情報は路側器ＩＤをキーにして検索可能とする。複数のコンテンツを同一の路側器１４にアップロードすることがあるので、路側器情報を一箇所で持つことにより、情報の整合性を保ち、記憶領域を削減するのに効果がある。一方、路側器情報の方にはアップロードするコンテンツのコンテンツ情報のＩＤを持っても良い（必須ではない）。これにより、ある路側器１４にアップロードすべきコンテンツ検索を高速に行うことが可能となる。
【００６５】
図７は路側器情報の例である。路側器ＩＤ、設置位置については上記の通りであり、それに加えて、通信条件、コンテンツ授受条件、その他の条件を持つことにより、アップロードに備え、通信時間が限られた中で、短時間でのアップロードを可能にする。
【００６６】
ところで、以上のように構成された車載器１２及び路側器１４の各構成要素（配信情報取得部５０、配信制御部５２、コンテンツ更新制御部６０、コンテンツ配信制御部６２）による処理は、プログラムを実行することにより、コンピュータを利用してソフトウェア構成により実現することができる。但し、ソフトウェア構成による実現に限られるものではなく、ハードウェア構成や、ハードウェア構成とソフトウェア構成の組み合わせによって実現することもできることは言うまでもない。
【００６７】
以下では、本実施の形態に係る車載器１２が、配信制御プログラムを実行することにより上記配信制御部５２による処理を実現するものとされている場合について説明する。
【００６８】
次に、本実施の形態に係る情報配信システム１０の作用を説明する。
【００６９】
図８には、車載器１２のＣＰＵ３０Ａにより実行される配信制御プログラムの処理の流れを示すフローチャートが示されている。当該プログラムは、メモリ３０Ｂに記憶されており、例えば、車載器１２が搭載された車両のエンジンスイッチがオンされるなどによって図示しない車両制御装置から処理開始の指示信号が受信されるとＣＰＵ３０Ａにより実行される。
【００７０】
次にステップＳ１０では、例えば、車両のエンジンスイッチがオフされるなどによって図示しない車両制御装置から処理終了の指示信号が入力したか否かを判定し、否定判定となった場合はステップＳ１１へ移行する一方、肯定判定となった場合は本配信制御プログラムの処理が処理終了となる。
【００７１】
ステップＳ１１では、カーナビゲーションシステムから得れる自車両の位置情報に基づき、接近している路側器１４と自車両との距離（又は到達予測時間）を計算する。
【００７２】
ステップＳ１２では、ステップＳ１０ので計算結果が予め定められた条件（例えば、５００m以内や１分以内）に合致するか否か判定し、肯定判定となった場合はステップＳ１４へ移行し、否定判定となった場合はステップＳ１０へ移行する。
【００７３】
ステップＳ１４では、記憶部３０Ｃを検索して、接近している路側器１４に対応するコンテンツをメモリ３０Ｂに読み出し（キャッシュ）、送信の準備をする。
【００７４】
ステップＳ１６では、無線通信部３８がその無線方式に従い、路側器１４との通信域に入ったことの検出待ちを行なう。
【００７５】
路側器１４は、通信域となって車載器１２と無線通信が可能となると、路側器１４の路側器ＩＤと必要に応じて送信条件を送信する。
【００７６】
ステップＳ１８では、路側器１４から受信された路側器ＩＤ及び送信条件を受信する。この送信条件は、例えば、コンテンツのバージョンや生成日時などである。
【００７７】
ステップＳ２０では、ステップＳ１８で受信された路側器ＩＤが上記ステップＳ１４でキャッシュしたコンテンツの送信対象とする路側器１４のものであるか否か判定し、肯定判定となった場合はステップＳ２４へ移行し、否定判定となった場合はステップＳ２２へ移行する。
【００７８】
ステップＳ２２では、ステップＳ１８で受信された路側器ＩＤに対応するコンテンツがキャッシュされていないため、記憶部３０Ｃを検索して、受信された路側器ＩＤに対応するコンテンツをメモリ３０Ｂに読み出す（キャッシュ）。
【００７９】
ステップＳ２４では、キャッシュされたコンテンツのうち、ステップＳ１８で受信された送信条件に合致したコンテンツを送信対象として抽出する。条件がなければキャッシュした全てのコンテンツを送信対象とする。
【００８０】
ステップＳ２６では、送信対象としたコンテンツの送信準備できたら、コンテンツを送信する。
【００８１】
また、路側器１４は、アップロードされたコンテンツの価値を評価し、評価値に見合ったインセンティブ情報を車載器１２へ送信する。このコンテンツが宣伝情報の場合、与えたインセンティブに応じた対価を広告主に課しても良い。
また、路側器１４は、アップロードされたコンテンツ以外のコンテンツをもつ場合には、そのコンテンツを車載器１２に送信する。
【００８２】
ステップＳ２８では、所定期間、インセンティブ情報及びアップロードしたコンテンツ以外のコンテンツの受信待ちを行ない、その後、ステップＳ１０へ移行する。
【００８３】
受信されたインセンティブ情報及びコンテンツは記憶部３０Ｃに記憶され、また適宜、表示パネル３６に表示される。
【００８４】
このインセンティブの証憑は一般にクライアント側で保証する方式、サーバ側で保証する方式、双方で保証する方式が考えられる。本実施の形態では、車載器１２側がクライアント側、路側器１４や路側器の運用者のシステムがサーバ側に相当する。クライアント側で保証する場合、サーバ側はインセンティブの内容を示すコンテンツを作成し、クライアントに送信する。クライアント側はそれを保管し、金銭、物品やサービス等を受ける場合に引き渡す。電子マネーなどもこの一部になり得る。サーバ側で保証する場合、車載器１２を識別する情報（車載器１２のＩＤ）をキーにしてインセンティブの内容をインセンティブ管理サーバに記録する。ユーザが金銭、物品やサービス等の提供を要求した場合、車載器１２のＩＤをキーに所持インセンティブを確認し、管理を行う。双方で持つ場合は、そのハイブリッド型であり、クライアント側が提示した証憑をサーバ上の情報と突き合わせて管理するものである。これらの情報は偽造を防ぐためのセキュリティ手段として、電子署名、タイムスタンプ、認証、暗号化等を用いても良い。
【００８５】
インセンティブを与える相手は、情報をアップロードした車載器１２である。一般に車載器１２や通信機はＩＤで識別される。ＩＤの成りすましなどを防止するためには認証などのセキュリティ手段を用いても良い。
【００８６】
以上のように本実施の形態によれば、路側器１４をネットワーク２６に接続させなくても各路側器１４にコンテンツを配信することができるため、インフラの設置コストや運用コストを低下させることができる。また車載器１２に、当該車載器１２が搭載された車両の走行予定ルートに沿って設けられ路側器１４に対するコンテンツ（配信情報）を記憶させて配信を行なうことにより、路側器１４に配信情報を適切に配信することができ、また、車載器１２に無駄な配信情報を記憶させる必要もなくなる。
【００８７】
また本実施の形態によれば、インセンティブにより、車両が路側器１４に、早い時間に確実に届ける可能性を高めることができる。更に、広告主に対しては効果に応じた課金が可能となる。
【００８８】
また本実施の形態によれば、コンテンツ募集・課金、路側器１４へのコンテンツ配信仲介車両の割当て、ドライブ旅行の募集を同時かつ容易に行うことが可能となる。
【００８９】
［第２の実施の形態］
次に、第２の実施の形態について説明する。
【００９０】
図９には、第２の実施の形態に係る情報配信システム１０の構成が示されている。なお、上記第１の実施の形態（図１参照）と同一部分については同一の符号を付して、ここでの説明は省略する。
【００９１】
本実施の形態に係る情報配信システム１０では、一部の路側器１４がネットワーク２６に接続されており、ネットワーク２６を介してコンテンツ募集サーバ１８、ドライブコース管理サーバ２０と通信が可能とされている。以下、ネットワーク２６に接続された路側器１４を、ネットワーク２６に未接続の路側器１４と区別するため、「コンテンツ配信中央路側器１５」という。
【００９２】
コンテンツ配信中央路側器１５は、ネットワーク２６を介してコンテンツ募集サーバ１８、ドライブコース管理サーバ２０に適宜アクセスし、データベース２０Ａに記憶されたドライブルート情報、及びドライブルート情報により関連付けられた各情報をダウンロードしてＨＤＤ４６に記憶する。
【００９３】
図１０には、本実施の形態に係る車載器１２及び路側器１４の機能的な構成を示す機能ブロック図が示されている。
【００９４】
車載器１２には、ドライバによって操作パネル３４からドライブコースに応じたコースＩＤが入力される。
【００９５】
配信情報取得部５０は、車両がコンテンツ配信中央路側器１５のサービス域内となり無線通信部３８で無線通信が可能となると、コンテンツ配信中央路側器１５にアクセスし、操作パネル３４に入力されたコースＩＤに基づいてコンテンツ配信中央路側器１５から当該コースＩＤにより示されるドライブルート情報により関連付けられた路側器情報、コンテンツ情報及び付加情報を取得する。
【００９６】
以上のように本実施の形態によれば、車載器１２がコンテンツ配信中央路側器１５と通信可能となると、コンテンツが自動的にダウンロードされるため、車載器１２へのコンテンツのダウンロード作業が簡易になる。
【００９７】
なお、上記各実施の形態では、自車両の走行予定ルートをドライブコース管理サーバ２０で決定する場合について説明したが、車両に搭載されたカーナビゲーションシステムで決定された走行予定ルートを取得し、決定された走行予定ルートの路側器１４を求めてコンテンツ配信中央路側器１５等から各路側器１４への配信情報を得るものとしてもよい。この場合、予め車載器１２に各路側器１４の位置の情報を記憶しておき、記憶した各路側器１４の位置に基づいて走行予定ルートの路側器１４を求めてもよく。また、走行予定ルートの情報をコンテンツ配信中央路側器１５等へ送信し、コンテンツ配信中央路側器１５から走行予定ルートの路側器１４の情報を得るようにしてもよい。
【００９８】
その他、上記各実施の形態で説明した情報配信システム１０の構成（図１、図９参照。）、コンテンツ募集サーバ１８、ドライブコース管理サーバ２０、車載器１２及び路側器１４の構成（図２、図３、図１０参照。）は一例であり、本発明の主旨を逸脱しない範囲内において適宜変更可能であることは言うまでもない。
【００９９】
また、上記第１の実施の形態で説明した配信制御プログラムの処理の流れ（図８参照。）も一例であり、本発明の主旨を逸脱しない範囲内において適宜変更可能であることは言うまでもない。
【図面の簡単な説明】
【０１００】
【図１】第１の実施の形態に係る情報配信システムの構成を示す図である。
【図２】実施の形態に係る車載器及び路側器の電気的な要部構成を示すブロック図である。
【図３】第１の実施の形態に係る車載器及び路側器の機能的な構成を示す機能ブロック図である。
【図４】実施の形態に係るコンテンツの記憶形態の一例を示す図である。
【図５】実施の形態に係る有効度として用いることができる情報の一例を示す図である。
【図６】実施の形態に係るコンテンツの記憶形態の他の例を示す図である。
【図７】実施の形態に係る路側器情報の一例を示す図である。
【図８】実施の形態に係る配信制御プログラムの処理の流れを示すフローチャートである。
【図９】第２の実施の形態に係る情報配信システムの構成を示す図である。
【図１０】第２の実施の形態に係る車載器及び路側器の機能的な構成を示す機能ブロック図である。
【符号の説明】
【０１０１】
１０    情報配信システム
１２    車載器
１４    路側器
１５    コンテンツ配信中央路側器
２０    ドライブコース管理サーバ（生成手段）
２６    ネットワーク
２８    端末装置（登録手段）
３０Ａ  ＣＰＵ
３０Ｂ  メモリ
３０Ｃ  記憶部（車載記憶手段）
３０    制御部
３２    外部インタフェース
３４    操作パネル
３６    表示パネル
３８    無線通信部（通信手段）
４６    ＨＤＤ（路側記憶手段）
４８    無線通信部（受信手段、送信手段）
５０    配信情報取得部（取得手段）
５２    配信制御部（制御手段）
６０    コンテンツ更新制御部（決定手段）
６２    コンテンツ配信制御部
【図１】
2010087843.tif 000003
【図２】
2010087843.tif 000004
【図３】
2010087843.tif 000005
【図４】
2010087843.tif 000006
【図５】
2010087843.tif 000007
【図６】
2010087843.tif 000008
【図７】
2010087843.tif 000009
【図８】
2010087843.tif 000010
【図９】
2010087843.tif 000011
【図１０】
2010087843.tif 000012